(57)【要約】  【課題】  電子機器を壁掛け状態から容易に取り外しできるようにすること。  【解決手段】  壁掛部材１に、壁面Ｋに設置される背面１ａと、同背面１ａの両端に形成された側面２と、同側面２の上部に形成された上部側面３と、前記背面１ａの上端に形成された上面４と、前記背面１ａに形成され、前記電子機器を係止する係止部６と、前記上部側面３に形成され、前記電子機器を係止める突起部３ａとを備え、前記電子機器の筺体７に、前記突起部３ａをガイドするガイド孔８ａ、８ｂと、前記係止部６を挿入する被係止部８ｄとを備えるようにし、前記ガイド孔８ａ、８ｂを、上部に前記突起部３ａの高さに対応する広い幅の孔８ａ’、８ｂ’と、前記上部に連続する前記上部側面３の厚さに対応する狭い幅の孔８ａ’’、８ｂ’’とを形成するようにした。  【選択図】  図３
2007096375.tif 000002
【特許請求の範囲】
【請求項１】
壁面に固定される壁掛部材と、同壁掛部材に固定される筺体とからなる機器の壁掛装置において、前記壁掛部材は、突起部と係止部を備え、前記筺体は、前記突起部をガイドするためのガイド孔と、前記係止部を係止するための被係止部を備え、前記ガイド孔は、前記筺体の上部から下部に渡って形成され、前記ガイド孔の上部は、前記突起部を出し入れ可能に形成され、前記壁掛部材に前記筺体を固定した時に、前記突起部は前記ガイド孔の上部以外に位置し、前記係止部は前記被係止部に係止されることを特徴とする機器の壁掛装置。
【請求項２】
壁面に固定される壁掛部材と、同壁掛部材に固定される筺体とからなる機器の壁掛装置において、前記筺体は、突起部と係止部を備え、前記壁掛部材は、前記突起部をガイドするためのガイド孔と、前記係止部を係止するための被係止部を備え、前記ガイド孔は、前記壁掛部材の上部から下部に渡って形成され、前記ガイド孔の下部は、前記突起部を出し入れ可能に形成され、前記壁掛部材に前記筺体を固定した時に、前記突起部は前記ガイド孔の下部以外に位置し、前記係止部は前記被係止部に係止されることを特徴とする機器の壁掛装置。
【請求項３】
前記壁掛部材は、前記壁面に対し垂直となる方向に側面を有し、前記突起部を同側面から突設し、前記筺体に備えた前記ガイド孔は、同ガイド孔の上部に前記突起部の高さに対応する幅の孔と、前記ガイド孔の上部から下部に渡って前記側面の厚さに対応する幅の孔とを形成したことを特徴とする請求項１記載の機器の壁掛装置。
【請求項４】
前記筺体は、前記壁面に対し垂直となる方向に側面を有し、前記突起部を同側面から突設し、前記壁掛部材に備えた前記ガイド孔は、同ガイド孔の上部から下部に渡って前記側面の厚さに対応する幅の孔と、前記ガイド孔の下部に前記突起部の高さに対応する幅の孔とを形成したことを特徴とする請求項２記載の機器の壁掛装置。
【請求項５】
前記突起部は長扁平に形成され、前記壁面に並行な面に対し所定の傾きθを持ち、前記ガイド孔上部の上下方向の幅が、前記突起部の長手方向の一端から他端までの距離をＬとしたときのＬ・ｃｏｓθより広く、距離Ｌより狭いことを特徴とする請求項３記載の機器の壁掛装置。
【請求項６】
前記突起部は長扁平に形成され、前記壁面に並行な面に対し所定の傾きθを持ち、前記ガイド孔下部の上下方向の幅が、前記突起部の長手方向の一端から他端までの距離をＬとしたときのＬ・ｃｏｓθより広く、距離Ｌより狭いことを特徴とする請求項４記載の機器の壁掛装置。
【発明の詳細な説明】
【技術分野】
【０００１】
本発明は、機器を構成する筺体を壁に固定する機器の壁掛装置に関するものであり、詳細には、前記筺体を壁掛け状態から容易に取り外しできるようにした構造に関する。
【背景技術】
【０００２】
従来のこの種の壁掛装置は、平板状に形成された壁掛部材の上端部にＬ字状の突片を有し、筺体の背面に形成された複数の孔にこの突片を選択的に係合する構造により、前記筺体に対して前記壁掛部材を、平行に取付けると壁掛具に、傾斜して取付けるとスタンド用支えに兼用することができるものとなっており、前記壁掛部材自体が平板状であるため、簡単な構造で安価にすることができる構成となっている（例えば、特許文献１参照。）。
【０００３】
具体的には、図７（Ａ）乃至図７（Ｃ）に示すように、平板状に形成され、上端縁にテーパ３００をもった突起３１０を有する前記壁掛部材１１０は、中央部に形成されたビス挿入用の長孔１２０と、上端部両側にそれぞれ一体に形成されたＬ字状の突片１３０と、これらの突片１３０の先端部に形成されたテーパ部１４０と、前記突片１３０の先端部内側に一体に形成された係合用突起１５０と、下端部に一体に形成されたＬ字状の突起２００とを備え、電話機、時計その他の機器を構成する前記筺体１６０は、背面に形成され、前記筺体１６０を壁掛する際に前記突片１３０に嵌合される孔１７０と、背面に形成され、前記筺体１６０を卓上に立てて載置する際に前記突片１３０に嵌合される孔１８０、１９０と、背面に形成された前記突起２００が挿入される孔２１０とを備えた構成となっている。
【０００４】
この構成において、まず前記壁掛部材１１０をビスによって壁に締付け固定し、この状態で前記突片１３０及び前記突起２００にそれぞれ前記筺体１６０の背面に形成した孔１７０、２１０を嵌合し、図７（Ｃ）矢印で示すように前記筺体１６０を下方向にスライドさせることにより、前記機器を壁に取付けることができ、また、前記壁掛部材１１０に形成した前記突片１３０を前記筺体１６０の背面に形成した孔１８０または１９０に挿入し、図７（Ｃ）矢印で示すようにスライドさせることにより、前記筺体１６０を前記壁掛部材１１０で支持して卓上に載置することができるようになっている。
【０００５】
【特許文献１】特開平０１−２３６７５４号公報（第２頁〜第３頁、第１図乃至第４図）
【発明の開示】
【発明が解決しようとする課題】
【０００６】
しかしながら、前記特許文献１による壁掛装置によれば、前記機器を壁に取付けた状態から前記機器を取り外す場合、前記壁掛部材１１０の前記突片１３０及び前記突起２００が上方向に突設したフック形状となっているので、前記筺体１６０を壁に取付ける場合とは逆に、前記筺体１６０を上方向にスライドさせることになる。従って、戸別受信機等の前記機器を持ち出すときには、前記戸別受信機を持上げて取り外すようにしないとならない。
【０００７】
このため、例えば、前記戸別受信機は、役所からの行政放送を聞くために、一般に天井側の高い位置に壁掛けられているので、前記戸別受信機を取り外す人の背丈によっては、背伸びや頭上に手を伸ばして取り外す場合、イスの上に載りながら取り外す場合等が考えられる。このような場合に、前記戸別受信機を取り外す時に、不安定な姿勢になる恐れが生じ、取り外し作業が大変になる可能性があるという問題点があった。
【０００８】
本発明は上記問題点に鑑み、前記機器を壁掛け状態から容易に取り外しできるようにした機器の壁掛装置を提供することを目的とする。
【課題を解決するための手段】
【０００９】
本発明は上記課題を解決するため、請求項１記載の発明は、壁面に固定される壁掛部材と、同壁掛部材に固定される筺体とからなる機器の壁掛装置において、前記壁掛部材は、突起部と係止部を備え、前記筺体は、前記突起部をガイドするためのガイド孔と、前記係止部を係止するための被係止部を備え、前記ガイド孔は、前記筺体の上部から下部に渡って形成され、前記ガイド孔の上部は、前記突起部を出し入れ可能に形成され、前記壁掛部材に前記筺体を固定した時に、前記突起部は前記ガイド孔の上部以外に位置し、前記係止部は前記被係止部に係止されることを特徴とする構成となっている。
【００１０】
請求項２記載の発明は、壁面に固定される壁掛部材と、同壁掛部材に固定される筺体とからなる機器の壁掛装置において、前記筺体は、突起部と係止部を備え、前記壁掛部材は、前記突起部をガイドするためのガイド孔と、前記係止部を係止するための被係止部を備え、前記ガイド孔は、前記壁掛部材の上部から下部に渡って形成され、前記ガイド孔の下部は、前記突起部を出し入れ可能に形成され、前記壁掛部材に前記筺体を固定した時に、前記突起部は前記ガイド孔の下部以外に位置し、前記係止部は前記被係止部に係止されることを特徴とする構成となっている。
【００１１】
請求項３記載の発明は、請求項１記載の発明において、前記壁掛部材は、前記壁面に対し垂直となる方向に側面を有し、前記突起部を同側面から突設し、前記筺体に備えた前記ガイド孔は、同ガイド孔の上部に前記突起部の高さに対応する幅の孔と、前記ガイド孔の上部から下部に渡って前記側面の厚さに対応する幅の孔とを形成したことを特徴とする構成となっている。
【００１２】
請求項４記載の発明は、請求項２記載の発明において、前記筺体は、前記壁面に対し垂直となる方向に側面を有し、前記突起部を同側面から突設し、前記壁掛部材に備えた前記ガイド孔は、同ガイド孔の上部から下部に渡って前記側面の厚さに対応する幅の孔と、前記ガイド孔の下部に前記突起部の高さに対応する幅の孔とを形成したことを特徴とする構成となっている。
【００１３】
請求項５記載の発明は、請求項３記載の発明において、前記突起部は長扁平に形成され、前記壁面に並行な面に対し所定の傾きθを持ち、前記ガイド孔上部の上下方向の幅が、前記突起部の長手方向の一端から他端までの距離をＬとしたときのＬ・ｃｏｓθより広く、距離Ｌより狭いことを特徴とする構成となっている。
【００１４】
請求項６記載の発明は、請求項４記載の発明において、前記突起部は長扁平に形成され、前記壁面に並行な面に対し所定の傾きθを持ち、前記ガイド孔下部の上下方向の幅が、前記突起部の長手方向の一端から他端までの距離をＬとしたときのＬ・ｃｏｓθより広く、距離Ｌより狭いことを特徴とする構成となっている。
【発明の効果】
【００１５】
請求項１記載の本発明によれば、前記壁掛部材に前記筺体を固定した時に、前記突起部は前記ガイド孔の上部以外に位置し、前記係止部は前記被係止部に係止されるので、前記壁掛部材から前記筺体を取り外す場合、前記係止部の係止を解除し、前記ガイド孔の上部以外の位置から前記ガイド孔の上部に沿って前記筺体を下方向に移動することにより、前記突起部を前記ガイド孔の上部から取り外すことができる。このため、前記特許文献１のように、前記機器を壁掛け状態から持上げて取り外すことにはならず、取り外す人に近い位置に前記機器を移動させることができる。従って、前記機器を背伸びや頭上に手を伸ばして取り外す場合、イスの上に載りながら取り外す場合等の状態になることを少なくできる。よって、本発明によれば、不安定な姿勢になる恐れをなくし、取り外し作業の大変さを軽減できるので、前記機器を壁掛け状態から容易に取り外しできる。
【００１６】
請求項２記載の本発明によれば、前記壁掛部材に前記筺体を固定した時に、前記突起部は前記ガイド孔の下部以外に位置し、前記係止部は前記被係止部に係止されるので、前記壁掛部材から前記筺体を取り外す場合、前記係止部の係止を解除し、前記ガイド孔の下部以外の位置から前記ガイド孔の下部に沿って前記筺体を下方向に移動することにより、前記突起部を前記ガイド孔の下部から取り外すことができる。従って、請求項１記載の発明と同様に、本発明によれば、不安定な姿勢になる恐れをなくし、取り外し作業の大変さを軽減できるので、前記機器を壁掛け状態から容易に取り外しできる。
【００１７】
請求項３または請求項４記載の本発明によれば、前記壁掛部材に前記筺体を固定した時に、前記突起部は前記ガイド孔の前記側面の厚さに対応する幅の孔に位置し、前記係止部は前記被係止部に係止されるので、前記壁掛部材から前記筺体を取り外す場合、前記係止部の係止を解除し、前記ガイド孔の前記側面の厚さに対応する幅の孔に沿って前記筺体を下方向に移動することにより、前記突起部を、前記ガイド孔の前記突起部の高さに対応する幅の孔から取り外すことができる。従って、請求項１記載の発明と同様に、本発明によれば、不安定な姿勢になる恐れをなくし、取り外し作業の大変さを軽減できるので、前記機器を壁掛け状態から容易に取り外しできる。
【００１８】
請求項５または請求項６記載の本発明によれば、前記突起部は長扁平に形成され、前記壁面に並行な面に対し所定の傾きθを持ち、前記ガイド孔上部または前記ガイド孔下部の上下方向の幅が、前記突起部の長手方向の一端から他端までの距離をＬとしたときのＬ・ｃｏｓθより広く、距離Ｌより狭くなっているので、前記筺体を壁掛け状態から取り外す場面で、前記突起部が、前記ガイド孔の前記広い幅の孔から不用意に飛び出すことがないようにすることができる。または、前記壁掛部材を使用し前記機器を卓上に立てて設置するときに、前記筺体の傾斜した状態をバランス良く保持できる。
【発明を実施するための最良の形態】
【００１９】
以下、本発明の実施の形態を、添付図面に基づいた実施例として詳細に説明する。図１は本発明による機器の壁掛装置の壁掛部材を示す図で（Ａ）は斜視図、（Ｂ）は側面および断面を示す図、図２は本発明による機器の壁掛装置の機器を構成する筺体を示す図で（Ａ）は側面図、（Ｂ）は（Ａ）のａ−ａ’断面図、（Ｃ）は（Ａ）のｂ−ｂ’断面図、図３は本発明による機器の壁掛装置を使用した設置例を説明するための図で（Ａ）は壁掛設置の要部断面図、（Ｂ）は壁掛設置の要部側面図、（Ｃ）は卓上設置の要部断面図、（Ｄ）は卓上設置の要部側面図である。
【００２０】
図４は本発明による機器の壁掛装置の壁掛設置状態から取り外しまでの作業を説明するための図で（Ａ）は（Ｂ）のｄ−ｄ’断面を示し、筺体を壁掛設置状態から係止状態を解除したときを説明するための図、（Ｂ）は（Ａ）を補足するもので筺体と壁掛部材の状態を示す斜視図、（Ｃ）は（Ｄ）のｅ−ｅ’断面を示し、筺体を係止状態解除から下方向に移動したときを説明するための図、（Ｄ）は（Ｃ）を補足するもので筺体と壁掛部材の状態を示す斜視図、（Ｅ）は筺体を下方向に移動した状態から壁掛部材から取り外したときを説明するための図、（Ｆ）は（Ｅ）を補足するもので筺体と壁掛部材の状態を示す斜視図である。
【００２１】
図５は本発明による機器の壁掛装置を使用した卓上設置例を説明するための図で（Ａ）は筺体と壁掛部材の状態を示す斜視図、（Ｂ）は（Ａ）の断面図、（Ｃ）は（Ｂ）の部分拡大図、（Ｄ）は壁掛部材による筺体の傾斜角度を調整したときの例を示す断面図、（Ｅ）は壁掛部材による筺体の傾斜角度を調整したときの他の例を示す断面図、図６は本発明による機器の壁掛装置の壁掛部材と筺体の他の実施例を示す斜視図である。
【実施例１】
【００２２】
本発明による壁掛装置を図１乃至図３を用いて説明する。図１（Ａ）及び図１（Ｂ）に示すように、壁掛部材１は、例えば、プラスチック等の樹脂材料を成型した部材で、壁面に設置される背面１ａと、前記背面１ａの両端に連続形成された側面２と、前記側面２の上部に延出形成された上部側面３と、前記背面１ａの上端に連続形成された上面４と、前記背面１ａに形成され、ビスを挿入し前記壁面に設置するための挿入孔５と、前記背面１ａの中央部に形成され、機器を係止するための係止部６とを備えている。
【００２３】
更に、前記上部側面３に突設形成され、前記機器を係着するための突起部３ａを備え、前記突起部３ａは、前記背面１ａに対して傾斜した長扁平な形状となっている。また、前記上面４の端部に形成され、前記機器を係合するための長辺突起４ａを備えている。そして、前記挿入孔５は、前記背面１ａの前記係止部６を挟んで上下２箇所に形成され、前記係止部６は、左右対称に立設された２つの係止爪を構成し、各係止爪の先端が円曲面に形成されている。なお、前記背面１ａに形成された前記挿入孔５を上下２箇所、前記係止部６の係止爪を２つとしたが、前記背面１ａに、適宜決められた個数の前記挿入孔５と、前記係止部６を構成する係止爪を設けてもよい。
【００２４】
図２（Ａ）及び図２（Ｂ）に示すように、筺体７は、戸別受信機、時計、スピーカ、その他の前記機器を構成する外装ケースで、背面ケース８と前面ケース９から構成されている。前記背面ケース８は、その背面の上部中央に形成され、前記上部側面３をガイドし、かつ、前記突起部３ａが係着される左側ガイド孔８ａ及び右側ガイド孔８ｂと、前記背面の下部中央に形成され、前記機器を係止するために前記係止部６が挿入される被係止部８ｄとを備えている。同被係止部８ｄは係止孔を構成し、前記係止爪が同係止孔に挿入され、前記筺体７を前記壁掛部材１に係止することになる。なお、同被係止部８ｄは１つとしたが、適宜決められた個数であってもよく、前記係止部６の個数もこれに対応した個数に決められる。
【００２５】
そして、図１（Ｂ）と図２（Ａ）乃至図２（Ｃ）に示すように、前記左側ガイド孔８ａと前記右側ガイド孔８ｂとは左右対称に配置され、上部に前記突起部３ａの高さＨ１に対応する広い幅の孔８ａ’、８ｂ’と、上部から下部に向かって前記上部側面部３の厚さＨ２に対応する狭い幅の孔８ａ’’、８ｂ’’とを連続形成した、前記背面１ａの長手方向に長いガイド孔になっている。また、前記左側ガイド孔８ａと前記右側ガイド孔８ｂとの間には、前記左側ガイド孔８ａと前記右側ガイド孔８ｂとに直交するように形成され、前記長辺突起４ａと係合される、前記背面１ａの短手方向に長い角度調整用溝８ｃを備えている。前記角度調整用溝８ｃは、前記機器を卓上に立てて設置する際に、前記機器の傾き角度を調整するために設けたもので、前記背面１ａの長手方向に、上部、中間、下部の３箇所に配置されている。なお、前記機器の傾き角度を固定し、傾き角度の調整を行う必要がない場合、前記角度調整用溝８ｃを１個所に配置するようにしてもよい。この場合、前記長辺突起４ａを前記角度調整用溝８ｃに係合することになるので、前記長辺突起４ａと前記角度調整用溝８ｃがない場合に比べ、係合する箇所が増えるため、前記機器を卓上に安定して設置できる。
【００２６】
次に、これまで説明してきた前記壁掛部材１と前記筺体７の構造による作用を、図３に基づき説明する。最初に、図３（Ａ）及び図３（Ｂ）に示すように、前記機器を壁面Ｋ等に取付けた状態を説明する。まず、前記壁掛部材１を図示を省略したビスによって前記壁面Ｋに締め付固定する。そして、この状態で前記上部側面３及び前記突起部３ａに前記筺体７の前記背面ケース８に形成した前記左側ガイド孔８ａ及び前記右側ガイド孔８ｂの前記広い幅の孔８ａ’、８ｂ’を嵌合する。その後、そのまま前記筺体７を上方向に持上げて、前記上部側面３及び前記傾斜突起部３ａに前記左側ガイド孔８ａ及び前記右側ガイド孔８ｂの前記狭い幅の孔８ａ’’、８ｂ’’をガイドさせ、前記上部側面３が前記狭いの幅の孔８ａ’’、８ｂ’’の位置に移動させる。その後、前記係止部６に前記被係止部８ｄを係止させる。
【００２７】
このようにすれば、図３（Ａ）及び図３（Ｂ）に示すように、前記左側ガイド孔８ａ及び前記右側ガイド孔８ｂに挿入された前記突起部３ａは、前記背面ケース８の内面に当接される。また、前記上部側面３は、前記左側ガイド孔８ａ及び前記右側ガイド孔８ｂに係合される。そして、前記被係止部８ｄを構成する前記係止孔に挿入された、前記係止部６を構成する前記係止爪６が、前記背面ケース８の内面に当接される。このようにして、前記筺体７が前記壁掛部材１に係止され、前記機器を前記壁面Ｋに取付けることができる。更に、前記突起部３ａに対応する前記背面ケース８の内面での当接と、前記上面４の端部と前記背面ケース８の外面との当接と、前記係止部６に対応する前記背面ケース８の内面での当接により取付られるようになっているので、前記筺体７と前記壁掛部材１との係止状態をバランス良く保持することができる。
【００２８】
次に、図３（Ｃ）及び図３（Ｄ）に示すように、前記機器を卓上Ｔ等に立てて載置した状態を説明する。まず、前記壁掛部材１を前記壁面Ｋ等に取付けずにそのまま、前記壁掛部材１に形成した前記上部側面３及び前記突起部３ａを、前記筺体７の前記背面ケース８に形成した前記左側ガイド孔８ａ及び前記右側ガイド孔８ｂの前記広い幅の孔８ａ’、８ｂ’に挿入する。その後、前記上部側面３を、前記左側ガイド孔８ａ及び前記右側ガイド孔８ｂの前記狭い幅の孔８ａ’’、８ｂ’’の方向にガイドする。このガイドの操作により、例えば、図３（Ｃ）及び図３（Ｄ）に示すように、中間に配置された前記角度調整用溝８ｃに前記長辺突起４ａを係合させる。
【００２９】
このようにすれば、前記壁掛部材１が図３（Ｃ）に示すように、前記筺体７に対して、傾斜した状態に取付けられるので、前記筺体７を前記壁掛部材１で支持して前記卓上Ｔに載置することができる。また、前記突起部３ａが前記筺体７の傾斜方向に対応するように、前記背面１ａに対し前記上部側面３に傾斜を持たせて突設した長扁平な形状になっていることから、前記突起部３ａの長扁平部分と前記背面ケース８の内面での当接を良好にして係合することができる。更に、前記突起部３ａに対応する前記背面ケース８の内面での当接と、前記長辺突起４ａに対応する前記角度調整用溝８ｃでの係合により取付られるようになっているので、前記卓上Ｔに載置したとき、前記筺体７の傾斜した状態をバランス良く保持することができる。
【００３０】
次に、図４（Ａ）乃至（Ｆ）に示すように、前記機器を前記壁面Ｋに取付けた状態から取り外す作業までを説明する。まず、図４（Ａ）及び図４（Ｂ）に示すように、前記壁掛部材１に形成した前記係止部６と前記筺体７に形成した前記被係止部８ｄとの係止を解除させる。前記係止部６の先端が円曲面に形成されているので、前記筺体７の下方側を手前に引くことにより、比較的簡単に係止を解除することができる。そして、図４（Ｃ）及び図４（Ｄ）に示すように、前記係止部６と前記被係止部８ｄとの係止を解除した状態では、前記壁掛部材１に形成した前記上部側面３が、前記筺体７の前記背面ケース８に形成した前記左側ガイド孔８ａ及び前記右側ガイド孔８ｂの前記狭い幅の孔８ａ’’、８ｂ’’の方に位置している。また、前記上部側面３と、前記左側ガイド孔８ａ及び前記右側ガイド孔８ｂとの関係は、移動自在なフリー状態になっている。従って、前記左側ガイド孔８ａ及び前記右側ガイド孔８ｂの前記広い幅の孔８ａ’、８ｂ’の方向、すなわち、前記筺体７を支えながら、下方向（矢印）にスライドするようにガイドする。このようにすると、前記筺体７を、前記壁面Ｋに取付けた高さから特別な操作を行うことなく、取り外す人の手元の方に移動することにより、背伸びや頭上に手を伸ばして取り外す場合、イスの上に載りながら取り外す場合等のような不安定な姿勢状態にならず、前記筺体７の取り外しの作業を容易に行うことができる。
【００３１】
最後に、図４（Ｅ）及び図４（Ｆ）に示すように、前記筺体７を下方向にスライドさせた状態では、前記壁掛部材１に形成した前記突起部３ａが、前記筺体７の前記背面ケース８に形成した前記左側ガイド孔８ａ及び前記右側ガイド孔８ｂの前記広い幅の孔８ａ’、８ｂ’に位置している。従って、前記左側ガイド孔８ａ及び前記右側ガイド孔８ｂの前記広い幅の孔８ａ’、８ｂ’から前記突起部３ａを取り出すように、前記筺体７を手前に引くことで、前記筺体７を前記壁掛部材１から取り外すことができる。この取り外す場面では、前記壁面Ｋに対して前記筺体７を傾斜しすぎずに、前記筺体７を手前に引くようにする。すなわち、図１（Ｂ）、図２（Ａ）及び図４（Ｅ）に示すように、前記突起部３ａは、前記壁面Ｋに並行な面に対し所定の傾きθを持っている。更に、前記広い幅の孔８ａ’、８ｂ’の上下方向の幅が、前記突起部３ａの長手方向の一端から他端までの距離をＬとしたときのＬ・ｃｏｓθより広く、前記距離Ｌより狭くなっている。このため、前記筺体７を傾斜していくに従って、前記広い幅の孔８ａ’、８ｂ’の上下方向の幅が、前記突起部３ａの長手方向である前記距離Ｌより狭くなる関係となっているので、前記突起部３ａを前記広い幅の孔８ａ’、８ｂ’から取り出せなくなる場合があるためである。
【００３２】
また、図４（Ｃ）及び図４（Ｄ）に示すように、前記係止部６と前記被係止部８ｄとの係止を解除した状態では、前記突起部３ａと、前記左側ガイド孔８ａ及び前記右側ガイド孔８ｂとの関係も、移動自在なフリー状態になっている。更に、前記突起部３ａは、前記壁面Ｋに対して前記筺体７を傾斜する方向に対応するように、前記背面１ａに対し前記上部側面３に傾斜を持たせて突設した長扁平な形状になっている。更に、前記突起部３ａと、前記広い幅の孔８ａ’、８ｂ’とは、上述のような関係を持っている。従って、前記筺体７を前記壁掛部材１から取り外す場面で、前記筺体７を支えきれず、前記左側ガイド孔８ａ及び前記右側ガイド孔８ｂの前記広い幅の孔８ａ’、８ｂ’の方向、即ち、前記筺体７を下方向（矢印）に急なスライドになってしまったとき、例えば、円柱形状の突起部に比べ、傾斜した長扁平な形状の前記突起部３ａによって、前記左側ガイド孔８ａ及び前記右側ガイド孔８ｂの前記広い幅の孔８ａ’、８ｂ’から不用意に飛び出してしまわないないようにできる。更に、前記壁掛部材１を使用し前記筺体７を前記卓上Ｔに立てて載置する場合も、前記突起部３ａの傾斜した長扁平部分と前記背面ケース８の内面での当接を良好にして係合でき、前記筺体７の傾斜した状態をバランス良く保持することができる。
【００３３】
次に、図５（Ａ）乃至図５（Ｅ）に示すように、前記機器を前記卓上Ｔに立てて載置した状態を説明する。まず、図５（Ａ）乃至図５（Ｃ）に示すように、前記卓上Ｔに対する前記筺体７の傾斜角度が最も大きい場合を説明する。前記壁掛部材１の前記突起部３ａの長扁平部分と前記背面ケース８の内面で当接させるとともに、前記背面ケース８の外面にある、上部に配置された前記角度調整用溝８ｃに前記壁掛部材１の前記長辺突起４ａを係合させる。
【００３４】
そして、図５（Ｄ）及び図５（Ｅ）に示すように、前記卓上Ｔに対する前記筺体７の傾斜角度を小さくしたい場合には、図３（Ｃ）及び図３（Ｄ）で説明してきたように、前記上部側面３を、前記左側ガイド孔８ａ及び前記右側ガイド孔８ｂの前記狭い幅の孔８ａ’’、８ｂ’’の方向にガイドしていくことにより、図５（Ｄ）に示すように、前記壁掛部材１の前記突起部３ａの長扁平部分と前記背面ケース８の内面で当接させるとともに、前記背面ケース８の外面にある、中間に配置された前記角度調整用溝８ｃに前記壁掛部材１の前記長辺突起４ａを係合させる。前記卓上Ｔに対する前記筺体７の傾斜角度を更に小さくしたい場合には、図５（Ｅ）に示すように、前記壁掛部材１の前記突起部３ａの長扁平部分と前記背面ケース８の内面で当接させるとともに、前記背面ケース８の外面にある、下部に配置された前記角度調整用溝８ｃに前記壁掛部材１の前記長辺突起４ａを係合させるようにする。図５（Ｅ）に示す前記卓上Ｔに対する前記筺体７の傾斜角度が最も小さくなる場合である。このようにすれば、前記筺体７の傾斜角度を３段階に調整することができる。更に、図示を省略するが、前記背面ケース８に配置された前記角度調整用溝８ｃの間隔を広げ、前記角度調整用溝８ｃの数を多く形成することにより、前記筺体７の傾斜角度の調整範囲を広く、多段階に調整することもできる。
【００３５】
これまで説明してきた本発明による壁掛装置では、前記長辺突起４ａと前記角度調整用溝８ｃを設け、前記筺体７の傾斜角度を調整できるようにしたが、本発明はこれに限るものではなく、壁面に固定される壁掛部材と、同壁掛部材に固定される筺体とからなる機器の壁掛装置において、前記壁掛部材は、突起部と係止部を備え、前記筺体は、前記突起部をガイドするためのガイド孔と、前記係止部を係止するための被係止部を備え、前記ガイド孔は、前記筺体の上部から下部に渡って形成され、前記ガイド孔の上部は、前記突起部を出し入れ可能に形成され、前記壁掛部材に前記筺体を固定した時に、前記突起部は前記ガイド孔の上部以外に位置し、前記係止部は前記被係止部に係止される構造であればよい。
【００３６】
これまで説明してきた本発明によれば、前記特許文献１のように、機器を壁掛け状態から取り外すときに、前記機器を持上げて取り外すことにはならず、取り外す人に近い位置に前記機器を移動することにより、不安定な姿勢になる恐れをなくし、取り外し作業の大変さを軽減できる。従って、前記機器を壁掛け状態から容易に取り外しできるようになる。
【００３７】
なお、前記特許文献１において、図７に示される前記壁掛部材１１０の前記突片１３０及び前記突起２００を下方向にＬ字状に突設した構造にすることで、前記機器を持上げないようにすることはできても、前記機器の重さで壁から脱落する恐れが高くなってしまうが、本発明では、前記壁掛部材１に前記筺体７を固定した時に、前記突起部３ａが前記左側ガイド孔８ａ及び前記右側ガイド孔８ｂの前記広い幅の孔８ａ’、８ｂ’以外に位置し、前記係止部６が前記被係止部８ｄに係止されているので、機器の重さで壁から脱落する恐れがない。
【実施例２】
【００３８】
本発明による壁掛装置の他の実施例を図６を用いて説明する。前記実施例１との相違点は、筺体に突起部と係止部を備え、壁掛部材に前記突起部をガイドするためのガイド孔と、前記係止部を係止するための被係止部を備え、前記ガイド孔は、前記壁掛部材の上部から下部に渡って形成され、前記ガイド孔の下部は、前記突起部を出し入れ可能に形成されている構成である。なお、本実施例では構造の説明のみとし、動作の詳細は省略する。図６に示すように、前記壁掛部材１０は、壁面に対向し、かつ、前記筺体１５に面した正面１０ａと、前記壁面側に向けて、前記正面１０ａの両端に形成された側面１１と、前記壁面側に向けて、前記正面１０ａの上端に形成された上面１２と、前記壁面側に向けて、前記正面１０ａの下端に形成された下面１３とを備えている。また、前記壁掛部材１０は、前記正面１０ａに形成され、ビスを挿入し前記壁面に設置するための挿入孔１４と、前記正面１０ａの下部に形成され、機器を係止するための係止孔を構成した被係止部１０ａｃとを備えている。
【００３９】
一方、前記筺体１５は、背面ケース１６と前面ケース１７から構成され、前記背面ケース１６の中央には、上部から下部に渡って形成された側面１８と、同側面１８の上部から突出形成された上部側面１９と、同上部側面１９に突設形成され、前記機器を係止するための傾斜した突起部１９ａとを設けている。また、前記背面ケース１６の下部には、前記被係止部１０ａｃである前記係止孔に挿入し係止するための係止爪を構成した係止部２０を設けている。
【００４０】
また、前記壁掛部材１０には、前記ガイド孔の構成として、前記正面１０ａの上部に形成され、前記筺体１５の前記上部側面１９をガイドし、かつ、前記突起部１９ａが係着される左側ガイド孔１０ａａ及び右側ガイド孔１０ａｂを備えている。また、前記左側ガイド孔１０ａａと前記右側ガイド孔１０ａｂとは左右対称に配置され、下部に前記突起部１９ａの高さ（図１（Ｂ）に示すＨ１に相当する。）に対応する広い幅の孔１０ａａ’’、１０ａｂ’’と、上部から下部に向かって前記上部側面部１９の厚さ（図１（Ｂ）に示すＨ２に相当する。）に対応する狭い幅の孔１０ａａ’、１０ａｂ’とを連続形成した、前記正面１０ａの長手方向に長い前記ガイド孔になっている。
【００４１】
このような構成において、前記壁面に固定された前記壁掛部材１０の前記左側ガイド孔１０ａａ及び前記右側ガイド孔１０ａｂの前記広い幅の孔１０ａａ’’、１０ａｂ’’に、前記筺体１５の前記突起部１９ａを挿入する。その後、前記上部側面１９を前記左側ガイド孔１０ａａ及び前記右側ガイド孔１０ａｂの前記狭い幅の孔１０ａａ’、１０ａｂ’の方へスライドさせて、前記壁掛部材１０の前記係止孔１０ａｃに、前記筺体１５の前記係止部２０を挿入する。このようにすると、前記筺体１５を前記壁掛部材１０に係止させることができ、前記筺体１５を前記壁面に取り付けることができる。また、前記筺体１５を前記壁掛部材１０から取り外す場合は、前記実施例１と同様に、取り付け手順と逆に操作することにより、前記筺体１５を下方向にガイドし、取り外す人に近い位置に前記筺体１５を移動することができる。
【００４２】
これまで説明してきた本発明による壁掛装置では、本実施例２に限定されるものではなく、少なくとも、壁面に固定される壁掛部材と、同壁掛部材に固定される筺体とからなる機器の壁掛装置において、前記筺体は、突起部と係止部を備え、前記壁掛部材は、前記突起部をガイドするためのガイド孔と、前記係止部を係止するための被係止部を備え、前記ガイド孔は、前記壁掛部材の上部から下部に渡って形成され、前記ガイド孔の下部は、前記突起部を出し入れ可能に形成され、前記壁掛部材に前記筺体を固定した時に、前記突起部は前記ガイド孔の下部以外に位置し、前記係止部は前記被係止部に係止される構造であればよい。
【００４３】
これまで説明してきた本発明によれば、前記特許文献１のように、機器を壁掛け状態から取り外すときに、前記機器を持上げて取り外すことにはならず、取り外す人に近い位置に前記機器を移動することにより、前記実施例１と同様に、不安定な姿勢になる恐れをなくし、取り外し作業の大変さを軽減できる。従って、前記機器を壁掛け状態から容易に取り外しできるようになる。
【００４４】
これまで説明してきた前記実施例１によれば、前記壁掛部材１は、前記壁面に設置される前記背面１ａと、前記背面１ａの両端に連続形成された前記側面２と、前記側面２の上部に延出形成された前記上部側面３と、前記背面１ａの上端に連続形成された前記上面４を備えているが、本発明はこれに限るものではない。例えば、前記背面１ａを、前記側面２の両端の間を橋渡した桟のようにし、前記上面４をなくした構造にすることで、前記挿入孔５と前記係止部６を前記桟に形成した場合、または、前記背面１ａを、前記側面２の両端付近部分のみを残し、その他の部分を開口したような構造にすることで、前記挿入孔５と前記係止部６を前記両端付近部分に形成した場合等にも適用できる。
【００４５】
これまで説明してきた本実施例２によれば、前記壁掛部材１０は、前記筺体１５に面した前記正面１０ａと、前記正面１０ａの両端に形成された前記側面１１と、前記正面１０ａの上端に形成された前記上面１２と、前記正面１０ａの下端に形成された前記下面１３を備えているが、本発明はこれに限るものではない。例えば、前記正面１０ａを、前記上面１２の上端と前記下面１３の下端との間を橋渡した桟のようにし、前記側面１１をなくした構造にすることで、前記挿入孔１４と前記被係止部１０ａｃと前記左側ガイド孔１０ａａ及び前記右側ガイド孔１０ａｂを、前記桟に形成した場合等にも適用できる。
【００４６】
これまで説明してきた前記実施例１及び本実施例２によれば、前記係止部６と前記係止部２０とを係止爪とし、前記被係止部８ｄと前記被係止部１０ａｃとを係止孔とした構成となっているが、本発明はこれに限るものではなく、前記係止爪と前記係止孔とによる係止手段以外でも適用できる。
【図面の簡単な説明】
【００４７】
【図１】本発明による機器の壁掛装置の壁掛部材を示す図で（Ａ）は斜視図、（Ｂ）は側面および断面を示す図である。
【図２】本発明による機器の壁掛装置の機器を構成する筺体を示す図で（Ａ）は側面図、（Ｂ）は（Ａ）のａ−ａ’断面図、（Ｃ）は（Ａ）のｂ−ｂ’断面図である。
【図３】本発明による機器の壁掛装置を使用した設置例を説明するための図で（Ａ）は壁掛設置の要部断面図、（Ｂ）は壁掛設置の要部側面図、（Ｃ）は卓上設置の要部断面図、（Ｄ）は卓上設置の要部側面図である。
【図４】本発明による機器の壁掛装置の壁掛設置状態から取り外しまでの作業を説明するための図で（Ａ）は（Ｂ）のｄ−ｄ’断面を示し、筺体を壁掛設置状態から係止状態を解除したときを説明するための図、（Ｂ）は（Ａ）を補足するもので筺体と壁掛部材の状態を示す斜視図、（Ｃ）は（Ｄ）のｅ−ｅ’断面を示し、筺体を係止状態解除から下方向に移動したときを説明するための図、（Ｄ）は（Ｃ）を補足するもので筺体と壁掛部材の状態を示す斜視図、（Ｅ）は筺体を下方向に移動した状態から壁掛部材から取り外したときを説明するための図、（Ｆ）は（Ｅ）を補足するもので筺体と壁掛部材の状態を示す斜視図である。
【図５】本発明による機器の壁掛装置を使用した卓上設置例を説明するための図で（Ａ）は筺体と壁掛部材の状態を示す斜視図、（Ｂ）は（Ａ）の断面図、（Ｃ）は（Ｂ）の部分拡大図、（Ｄ）は壁掛部材による筺体の傾斜角度を調整したときの例を示す断面図、（Ｅ）は壁掛部材による筺体の傾斜角度を調整したときの他の例を示す断面図である。
【図６】本発明による機器の壁掛装置の壁掛部材と筺体の他の実施例を示す斜視図である。
【図７】従来の機器の壁掛装置を示す斜視図である。
【符号の説明】
【００４８】
１  壁掛部材
１ａ  背面
２  側面
３  上部側面
３ａ  突起部
４  上面
４ａ  長辺突起
５  挿入孔
６  係止部（係止爪）
７  筺体
８  背面ケース
８ａ  左側ガイド孔
８ａ’  広い幅の孔（ガイド孔の上部）
８ａ’’  狭い幅の孔
８ｂ  右側ガイド孔
８ｂ’  広い幅の孔（ガイド孔の上部）
８ｂ’’  狭い幅の孔
８ｃ  角度調整用溝
８ｄ  被係止部（係止孔）
９  前面ケース
１０  壁掛部材
１０ａ  正面
１０ａａ  左側ガイド孔
１０ａａ’  狭い幅の孔
１０ａａ’’  広い幅の孔（ガイド孔の下部）
１０ａｂ  右側ガイド孔
１０ａｂ’  狭い幅の孔
１０ａｂ’’  広い幅の孔（ガイド孔の下部）
１０ａｃ  被係止部（係止孔）
１１  側面
１２  上面
１３  下面
１４  挿入孔
１５  筺体
１６  背面ケース
１７  前面ケース
１８  側面
１９  上部側面
１９ａ  突起部
２０  係止部（係止爪）
Ｋ  壁面
Ｔ  卓上
【図１】
2007096375.tif 000003
【図２】
2007096375.tif 000004
【図３】
2007096375.tif 000005
【図４】
2007096375.tif 000006
【図５】
2007096375.tif 000007
【図６】
2007096375.tif 000008
【図７】
2007096375.tif 000009